(57)【要約】      （修正有）【課題】ユーザがギターを入手した後に、ギターの共鳴箱の振動を増幅させることの可能な振動増幅器を提供する。【解決手段】振動増幅器２５は、ギターの共鳴箱の表板に取り付けられ、かつ、裏板に向けて突出されるボルト３５と、ボルト３５に取り付けられ、かつ、表板に対してボルトが突出される中心線Ａ１に沿った方向に間隔をおいて配置される複数の支持腕４２、４７、５１と、複数の支持腕４２、４７、５１にそれぞれ取り付けられる複数の振動片２６、２７、２８、２９、３０、３１と、を有する。【選択図】図３
0003232965.tif 000002
【実用新案登録請求の範囲】
【請求項１】
ギターの共鳴箱の表板に取り付けられ、かつ、裏板に向けて突出される支持軸と、
前記支持軸に取り付けられ、かつ、前記表板に対する前記支持軸の突出方向に間隔をおいて配置される複数の支持腕と、
複数の前記支持腕にそれぞれ取り付けられる複数の振動片と、
を有する、振動増幅器。
【請求項２】
請求項１記載の振動増幅器において、
複数の前記支持腕は、
前記突出方向に対して交差する方向に沿って延ばされた接続部と、
前記支持軸を隔てて前記接続部の両端にそれぞれ設けられた複数の取り付け部と、
をそれぞれ有し、
前記振動片は、複数の前記取り付け部にそれぞれ取り付けられている、振動増幅器。
【請求項３】
請求項２記載の振動増幅器において、
前記取り付け部に取り付けられた複数の前記振動片は、前記突出方向に対して交差する平面内における形状がそれぞれ円弧形状である、振動増幅器。
【請求項４】
請求項３記載の振動増幅器において、
１つの前記取り付け部に取り付けられている２つの前記振動片は、前記突出方向に対して交差する平面内における形状が円形になるように配置されている、振動増幅器。
【請求項５】
請求項４記載の振動増幅器において、
前記突出方向に対して交差する平面内で、２つの前記振動片の間に隙間が設けられている、振動増幅器。
【請求項６】
請求項３乃至５の何れか１項記載の振動増幅器において、
前記複数の振動片は、前記突出方向に対して交差する平面内における半径が互いに異なる振動片を含む、振動増幅器。
【請求項７】
請求項１乃至６の何れか１項記載の振動増幅器において、
前記支持軸は、ボルトであり、
前記ボルトがねじ込まれるナットと、
前記ナットを保持し、かつ、前記表板に取り付けられる固定部材と、
が更に設けられている、振動増幅器。
【考案の詳細な説明】
【技術分野】
【０００１】
本考案は、ギターの共鳴箱の振動を増幅させることの可能な振動増幅器に関する。
【背景技術】
【０００２】
ギターの共鳴箱の振動を増幅可能なギターの一例が、下記の特許文献１に記載されている。特許文献１に記載されたギターは、内部を空洞とし、かつ、弦の振動を共鳴して拡大放射する共鳴箱（ボディ）と、共鳴箱に接続された棹、棹の表面に接合されたフレットを有するフィンガーボードを有するネック部と、ネック部の先端に設けられたヘッド部と、を有する。共鳴箱は、表板、裏板及び側板を有する。表板にサドルを有するブリッジが設けられており、振動板がブリッジに固定されている。振動板は、共鳴箱の内部に設けられている。振動板の厚さは、弦の太さ及び振動板の材質等から適宜決定される。
【０００３】
そして、特許文献１に記載されたギターによれば、高音用の弦によって振動板を振動させ、低音用の弦によって表板を振動させることで、高音用の弦のもつ特有の音質及び音色と、低音用の弦のもつ特有の音質及び音色とを、共に最大限に活かすことができるとともに、音量も増大させることができる、とされている。
【先行技術文献】
【特許文献】
【０００４】
【特許文献１】特許第５５８２４３１号公報
【考案の概要】
【考案が解決しようとする課題】
【０００５】
本願考案者は、特許文献１に記載されている技術では、ギターの弦を弾いたときに共鳴箱の振動を増幅させるには、振動板が予め固定されているギターを、予め入手しておかなければならない、という課題を認識した。
【０００６】
本考案の目的は、ユーザがギターを入手した後に、ギターの共鳴箱の振動を増幅させることの可能な振動増幅器を提供することである。
【課題を解決するための手段】
【０００７】
本考案の振動増幅器は、ギターの共鳴箱の表板に取り付けられ、かつ、裏板に向けて突出される支持軸と、前記支持軸に取り付けられ、かつ、前記表板に対する前記支持軸の突出方向に間隔をおいて配置される複数の支持腕と、複数の前記支持腕にそれぞれ取り付けられる複数の振動片と、を有する。
【考案の効果】
【０００８】
本考案の振動増幅器をギターの表板に取り付けると、弦を弾いたときにギターの共鳴箱の振動を増幅させることが可能である。
【図面の簡単な説明】
【０００９】
【図１】本考案の振動増幅器が取り付けられるギターの平面図である。
【図２】図１のII−II線における縦断面図である。
【図３】振動増幅器がギターに取り付けられる前の状態を示す斜視図である。
【図４】（Ａ）は、第１振動片の平面図、（Ｂ）は、第２振動片の平面図、（Ｃ）は、第３振動片の平面図、（Ｄ）は、第４振動片の平面図、（Ｅ）は、第５振動片の平面図、（Ｆ）は、第６振動片の平面図である。
【図５】（Ａ）は、第１支持腕の平面図、（Ｂ）は、第２支持腕の平面図、（Ｃ）は、第３支持腕の平面図である。
【図６】（Ａ）は、３個のスペーサを示す斜視図、（Ｂ）は、１個のリベットを示す斜視図、（Ｃ）は、固定部材の斜視図、（Ｄ）は、固定部材及びナットの斜視図である。
【考案を実施するための形態】
【００１０】
本考案の振動増幅器は、ギターの共鳴箱（ボディ）の振動を増幅するために、ギターの共鳴箱の内部に取り付けられる。ここでいうギターとは、ガット(ナイロン)弦などが貼られたいわゆるクラシックギターを指し、スチール弦の貼られたいわゆるフォークギターやエレキギターを対象とするものではない。
【００１１】
現在、製作されているギターは、主に電気による増幅装置で音をスピーカーから発する通称エレキギターと、電気を使用しないで共鳴箱から出る音で成り立つアコーステックギターとに分かれている。エレキギターは、ボリュウムを上げれば大きな音量が出るが、アコーステックギターは、エレキギターに比べ音量に限界がある。特に、ピックを使用して強いタッチで演奏するピックギター、フォークギター等と比べ、人の指だけで演奏するクラシックギターは音圧が小さく、よほど反響の良い小ホール以外では聞き取りにくいという大きなハンディがある。
【００１２】
ギターは、木工製品であるが、バイオリン等に比べ音量が小さい。これは、バイオリンが、弓で連続して音の発生を継続できるのに対して、ギターは、一度弾かれた弦は振動を始めるが、弦の振幅が直ぐに縮小するめ振動が継続できず、音が消えるためである。さらに、同じ弦楽器と言われていても表板の正音と逆音がサウンドホールから出たとき打ち消し合い音を殺すことも弱点である。
【００１３】
これを回避するため、ギターの共鳴箱の表板の内側に、響板（力木）と称する細い木が取り付けてある。力木は、音の伝達を助ける役目もあり、低音部には長いものが使用されたりする。また、力木の材質と構造を色々変えて、音量及びよりよい音質を求め続けた歴史がある。
【００１４】
厳選された材料で製作された楽器は数百万するが、バイオリンのように２００年以上音が進化することは無いと思われる。バイオリンは、激しく練習に使用すると接着が緩むが、解体して接着し直すと元に戻す。ピアノも解体修理している。ギターの解体修理は聞いたことがない。無理すればできるが、再塗装するとかなり音が変わるため通常行われていない。いずれにしても、各種制限のなか、よりよい結果を求めて工夫してきた製作者は木工加工技術と木材の特性を生かした方法で研究してきた。
【００１５】
本実施形態は、材質に拘らず、よりよく振動する材料を、よりいい形に成型してできた振動増幅器をギターに取り付けることで、目的とする大きな音量、深みのある響き、長く振動を続け、豊かな表現を可能することである。
【００１６】
次に、振動増幅器の取り付け対象であるギターの構造を簡単に説明する。図１に示すように、ギター１０は、共鳴箱（ボディ）１１、共鳴箱１１に取り付けられたネック１２、ネック１２の端部に設けられたヘッド１３を有する。図２に示すように、共鳴箱１１は、互いに平行に配置される表板１４及び裏板１５と、表板１４と裏板１５とを接続する側板１６と、を有する。ネック１２は、共鳴箱１１から突出して設けられた棒材であり、フィンガーボード１７、フレット１８及びナット１９が、ネック１２に設けられている。ヘッド１３は、ネック１２のうち、共鳴箱１１に接続された個所とは反対の箇所に設けられている。複数のペグ２０がヘッド１３に設けられている。
【００１７】
表板１４の外面１４Ｂにブリッジ２１が固定され、ブリッジ２１にサドル２２が設けられている。複数本、具体的には６本の弦２３がブリッジ２１に取り付けられ、かつ、サドル２２及びナット１９により支持され、かつ、ぺグ２０に巻かれることにより、６本の弦２３が、サドル２２とナット１９との間に所定の張力で張られている。表板１４を厚さ方向に貫通するサウンドホール２４が設けられている。サウンドホール２４は、共鳴箱１１の内部５４と外部５５とをつなぐ。サウンドホール２４は、ブリッジ２１とネック１２との間に配置されている。
【００１８】
表板１４には、例えば、松、スプルース、杉、シダー等の木材が用いられる。裏板１５及び側板１６には、ローズウッド、ハラカンダ、メイプル等の木材がそれぞれ用いられる。ネック１２には、ホンジュラスマホガニー、セドロ、メイプル等が用いられる。表板１４、裏板１５及び側板１６は、それぞれ、単板製または合板製の何れでもよい。
【００１９】
本開示の振動増幅器２５は、共鳴箱１１の内部５４に設けられ、かつ、表板１４の内面１４Ｂに取り付けられる。なお、表板１４の内面１４Ａには、力木及び響板（響体）が設けられているが、図２では省略されている。振動増幅器２５は、例えば、ユーザがギター１０を入手した後に、振動増幅器２５を提供する店舗に持ち込む。その店舗の職人は、ギター１０を分解し、振動増幅器２５を表板１４の内面１４Ａに取り付け、ギター１０を組み立ててユーザへ渡す。
【００２０】
以下、振動増幅器２５の実施形態を、図２、図３、図４、図５及び図６を参照して説明する。振動増幅器２５は、第１振動片２６、第２振動片２７、第３振動片２８、第４振動片２９、第５振動片３０、第６振動片３１、第１支持腕３２、第２支持腕３３、第３支持腕３４、ボルト３５、第１スペーサ３６、第２スペーサ３７、第３スペーサ３８、固定部材３９を有する。第１振動片２６乃至第６振動片３１は、弦２３が弾かれた場合の振動によって弾性変形（撓み）が可能な材料（材質）、例えば、リン青銅製であり、かつ、プレート形状を有する。
【００２１】
図４は、第１振動片２６乃至第６振動片３１の平面形状を示している。この平面形状は、振動増幅器２５が、図２のように組み立てられている状態で、ボルト３５の中心線Ａ１に対して垂直な平面内における形状である。
【００２２】
図４（Ａ）に示すように、第１振動片２６は、点Ｐ１を中心とする円弧形状であり、図４（Ｂ）に示すように、第２振動片２７は、点Ｐ２を中心とする円弧形状であり、図４（Ｃ）に示すように、第３振動片２８は、点Ｐ３を中心とする円弧形状である。図４（Ｄ）に示すように、第４振動片２９は、点Ｐ４を中心とする円弧形状であり、図４（Ｅ）に示すように、第５振動片３０は、点Ｐ５を中心とする円弧形状であり、図４（Ｆ）に示すように、第６振動片３１は、点Ｐ６を中心とする円弧形状である。
【００２３】
また、第１振動片２６の半径（内径）Ｒ１は、第２振動片２７の半径Ｒ２より大きく、第２振動片２７の半径Ｒ２は、第３振動片２８の半径Ｒ３より大きい。第４振動片２９の半径Ｒ４は、第５振動片３０の半径Ｒ５より大きく、第５振動片３０の半径Ｒ５は、第６振動片３１の半径Ｒ６より大きい。半径Ｒ１乃至半径Ｒ６は、何れも内径である。
【００２４】
さらに、第１振動片２６は、点Ｐ１を中心とする径方向の幅Ｌ１を有する。第２振動片２７は、点Ｐ２を中心とする径方向の幅Ｌ２を有する。第３振動片２８は、点Ｐ３を中心とする径方向の幅Ｌ３を有する。第４振動片２９は、点Ｐ４を中心とする径方向の幅Ｌ４を有する。第５振動片３０は、点Ｐ５を中心とする径方向の幅Ｌ５を有する。第６振動片３１は、点Ｐ６を中心とする径方向の幅Ｌ６を有する。第１振動片２６は、円周方向の略中央に取付穴２６Ａを有する。
【００２５】
第１振動片２６は、円周方向の略中央に取付穴２６Ａを有する。第２振動片２７は、円周方向の略中央に取付穴２７Ａを有する。第３振動片２８は、円周方向の略中央に取付穴２８Ａを有する。第４振動片２９は、円周方向の略中央に取付穴２９Ａを有する第５振動片３０は、円周方向の略中央に取付穴３０Ａを有する。第６振動片３１は、円周方向の略中央に取付穴３１Ａを有する。
【００２６】
さらに、第１振動片２６は、点Ｐ１を中心とする円周方向で１８０度未満の範囲内に位置する。第２振動片２７は、点Ｐ２を中心とする円周方向で１８０度未満の範囲内に位置する。第３振動片２８は、点Ｐ３を中心とする円周方向で１８０度未満の範囲内に位置する。第４振動片２９は、点Ｐ４を中心とする円周方向で１８０度未満の範囲内に位置する。第５振動片３０は、点Ｐ５を中心とする円周方向で１８０度未満の範囲内に位置する。第６振動片３１は、点Ｐ６を中心とする円周方向で１８０度未満の範囲内に位置する。
【００２７】
第１振動片２６乃至第６振動片３１は、固有振動数がそれぞれ異なる。第２振動片２７の固有振動数は、第１振動片２６の固有振動数より大きい。第３振動片２８の固有振動数は、第２振動片２７の固有振動数より大きい。第４振動片２９の固有振動数は、第３振動片２８の固有振動数より大きい。第５振動片３０の固有振動数は、第４振動片２９の固有振動数より大きい。第６振動片３１の固有振動数は、第５振動片３０の固有振動数より大きい。
【００２８】
固有振動数は、質量及びばね剛性という２つの要因によって定まる。第１振動片２６乃至第６振動片３１は、その厚さが、例えば、それぞれ１ｍｍに設定されている。第２振動片２７の質量は、第１振動片２６の質量より小さい。第３振動片２８の質量は、第２振動片２７の質量より小さい。第４振動片２９の質量は、第３振動片２８の質量より小さい。第５振動片３０の質量は、第４振動片２９の質量より小さい。第６振動片３１の質量は、第５振動片３０の質量より小さい。
【００２９】
第２振動片２７のばね剛性は、第１振動片２６のばね剛性より大きい。第３振動片２８のばね剛性は、第２振動片２７のばね剛性より大きい。第４振動片２９のばね剛性は、第３振動片２８のばね剛性より大きい。第５振動片３０のばね剛性は、第４振動片２９のばね剛性より大きい。第６振動片３１のばね剛性は、第５振動片３０のばね剛性より大きい。
【００３０】
図３に示すように、第１振動片２６は、２枚設けられ、第２振動片２７は、２枚設けられ、第３振動片２８は、２枚設けられ、第４振動片２９は、２枚設けられ、第５振動片３０は、２枚設けられ、第６振動片３１は、２枚設けられている。２枚の第１振動片２６及び２枚の第２振動片２７は、第１支持腕３２により支持され、２枚の第３振動片２８及び２枚の第４振動片２９は、第２支持腕３３により支持され、２枚の第５振動片３０及び２枚の第６振動片３１は、第３支持腕３４により支持されている。
【００３１】
第１支持腕３２乃至第３支持腕３４は、弦２３が弾かれた場合の振動によって弾性変形が可能な材料（材質）、例えば、リン青銅製であり、かつ、図５すようにプレート形状を有する。図５（Ａ）のように、第１支持腕３２は、第１取り付け部４０及び第２取り付け部４１と、第１取り付け部４０と第２取り付け部４１とを接続する接続部４２と、を有する。第１取り付け部４０の長さＬ７は、第２取り付け部４１の長さＬ８を超えている。接続部４２の長さ方向の両端は、第１取り付け部４０の長さ方向の略中央箇所、第２取り付け部４１の長さ方向の略中央箇所にそれぞれ接続されている。接続部４２を厚さ方向に貫通する軸孔４３が設けられ、軸孔４３の中心から第１取り付け部４０までの長さＬ９は、軸孔４３の中心から第２取り付け部４１までの長さＬ１０未満である。
【００３２】
第１取り付け部４０の第１端部に２つの取付穴４０Ａが設けられ、第１取り付け部４０の第２端部に２つの取付穴４０Ｂが設けられている。第２取り付け部４１の第１端部に２つの取付穴４１Ａが設けられ、第２取り付け部４１の第２端部に２つの取付穴４１Ｂが設けられている。
【００３３】
図５（Ｂ）のように、第２支持腕３３は、第１取り付け部４５及び第２取り付け部４６と、第１取り付け部４５と第２取り付け部４６とを接続する接続部４７と、を有する。第１取り付け部４５の長さＬ１１は、第２取り付け部４６の長さＬ１２を超えている。接続部４７の長さ方向の両端は、第１取り付け部４５の長さ方向の略中央箇所、第２取り付け部４６の長さ方向の略中央箇所にそれぞれ接続されている。接続部４７を厚さ方向に貫通する軸孔４８が設けられ、軸孔４８の中心から第１取り付け部４５までの長さＬ１４は、軸孔４８の中心から第２取り付け部４６までの長さＬ１３を超えているである。第２支持腕３３の全長Ｌ１５は、第１支持腕３２の全長Ｌ１６未満である。
【００３４】
第１取り付け部４５の第１端部に取付穴４５Ａが設けられ、第１取り付け部４５の第２端部に取付穴４５Ｂが設けられている。第２取り付け部４６の第１端部に取付穴４６Ａが設けられ、第２取り付け部４６の第２端部に取付穴４６Ｂが設けられている。
【００３５】
図５（Ｃ）のように、第３支持腕３４は、第１取り付け部４９及び第２取り付け部５０と、第１取り付け部４９と第２取り付け部５０とを接続する接続部５１と、を有する。第１取り付け部４９の長さＬ１７は、第２取り付け部５０の長さＬ１８を超えている。接続部５１の長さ方向の両端は、第１取り付け部４９の長さ方向の略中央箇所、第２取り付け部５０の長さ方向の略中央箇所にそれぞれ接続されている。接続部５１を厚さ方向に貫通する軸孔５２が設けられ、軸孔５２の中心から第１取り付け部４９までの長さＬ１９は、軸孔５２の中心から第２取り付け部５０までの長さＬ２０を超えている。第３支持腕３４の全長Ｌ２１は、第２支持腕３３の全長Ｌ１５未満である。
【００３６】
第１取り付け部４９の第１端部に取付穴４９Ａが設けられ、第１取り付け部４９の第２端部に取付穴４９Ｂが設けられている。第２取り付け部５０の第１端部に取付穴５０Ａが設けられ、第２取り付け部５０の第２端部に取付穴５０Ｂが設けられている。
【００３７】
第１支持腕３２乃至第３支持腕３４は、固有振動数がそれぞれ異なる。第２支持部材３の固有振動数は、第１支持腕３２の固有振動数より大きい。第３支持腕３４の固有振動数は、第２支持腕３３の固有振動数より大きい。固有振動数は、質量及びばね剛性という２つの要因によって定まる。第１支持腕３２の厚さは、例えば、０．８ｍｍに設定されている。第２支持腕３３及び第３支持腕３４の厚さは、例えば、０．５ｍｍに設定されている。
【００３８】
第２支持腕３３の質量は、第１支持腕３２の質量より小さい。第３支持腕３４の質量は、第２支持腕３３の質量より小さい。第２支持腕３３のばね剛性は、第１支持腕３２のばね剛性より大きい。第３支持腕３４のばね剛性は、第２支持腕３３のばね剛性より大きい。
【００３９】
本開示の振動増幅器２５は、６本の弦２３、及び３オクターブの音域に反応して振動するように、第１振動片２６乃至第６振動片３１のそれぞれの固有振動数、第１支持腕３２乃至第３支持腕３４のそれぞれの固有振動数を設定することが可能である。
【００４０】
第１振動片２６乃至第６振動片３１は、図６（Ｂ）に示すリベット４４によりそれぞれ単独で固定されている。１枚の第１振動片２６の取付穴２６Ａ及び取付穴４０Ａにリベット４４が挿入され、かつ、リベット４４がカシメ加工されて１枚の第１振動片２６が第１取り付け部４０に固定されている。１枚の第１振動片２６の取付穴２６Ａ及び取付穴４０Ｂにリベット４４が挿入され、かつ、リベット４４がカシメ加工されて１枚の第１振動片２６が第１取り付け部４０に固定されている。２枚の第１振動片２６が、略円形になるように、第１取り付け部４０に取り付けられている。図３のように、２枚の第１振動片２６の円周方向の端部同士の間に隙間Ｂ１がある。
【００４１】
１枚の第２振動片２７の取付穴２７Ａ及び取付穴４１Ａにリベット４４が挿入され、かつ、リベット４４がカシメ加工されて１枚の第２振動片２７が第１取り付け部４０に固定される。１枚の第２振動片２７の取付穴２７Ａ及び取付穴４１Ｂにリベット４４が挿入され、かつ、リベット４４がカシメ加工されて１枚の第２振動片２７が第２取り付け部４１に固定される。２枚の第２振動片２７が、略円形になるように、第２取り付け部４１に取り付けられている。図３のように、２枚の第２振動片２７の円周方向の端部同士の間に隙間Ｂ２がある。
【００４２】
さらに、１枚の第３振動片２８の取付穴２８Ａ及び取付穴４５Ａにリベット４４が挿入され、かつ、リベット４４がカシメ加工されて１枚の第３振動片２８が第１取り付け部４５に固定される。リベット４４は、例えば、アルミニウム製である。１枚の第３振動片２８の取付穴２８Ａ及び取付穴４５Ｂにリベット４４が挿入され、かつ、リベット４４がカシメ加工されて１枚の第３振動片２８が第１取り付け部４５に固定されている。２枚の第３振動片２８が、略円形になるように、第１取り付け部４５に取り付けられている。図３のように、２枚の第３振動片２８の円周方向の端部同士の間に隙間Ｂ３がある。
【００４３】
１枚の第４振動片２９の取付穴２９Ａ及び取付穴４６Ａにリベット４４が挿入され、かつ、リベット４４がカシメ加工されて１枚の第４振動片２９が第２取り付け部４６に固定される。１枚の第４振動片２９の取付穴２９Ａ及び取付穴４６Ｂにリベット４４が挿入され、かつ、リベット４４がカシメ加工されて１枚の第４振動片２９が第２取り付け部４６に固定される。２枚の第４振動片２９が、略円形になるように、第２取り付け部４６に取り付けられている。図３のように、２枚の第４振動片２９の円周方向の端部同士の間に隙間Ｂ４がある。
【００４４】
１枚の第５振動片３０の取付穴３０Ａ及び取付穴４９Ａにリベット４４が挿入され、かつ、リベット４４がカシメ加工されて１枚の第５振動片３０が第１取り付け部４９に固定される。１枚の第５振動片３０の取付穴３０Ａ及び取付穴４９Ｂにリベット４４が挿入され、かつ、リベット４４がカシメ加工されて１枚の第５振動片３０が第１取り付け部４９に固定される。２枚の第５振動片３０が、略円形になるように、第１取り付け部４９に取り付けられている。２枚の第５振動片３０の円周方向の端部同士の間に隙間Ｂ５がある。
【００４５】
１枚の第６振動片３１の取付穴３１Ａ及び取付穴５０Ａにリベット４４が挿入され、かつ、リベット４４がカシメ加工されて１枚の第６振動片３１が第２取り付け部５０に固定される。１枚の第６振動片３１の取付穴３１Ａ及び取付穴５０Ｂにリベット４４が挿入され、かつ、リベット４４がカシメ加工されて１枚の第６振動片３１が第２取り付け部５０に固定される。２枚の第６振動片３１が、略円形になるように、第２取り付け部５０に取り付けられている。図３のように、２枚の第６振動片３１の円周方向の端部同士の間に隙間Ｂ６がある。
【００４６】
さらに、ボルト３５は、例えば、ステンレス製のボルトである。図６（Ａ）のように、第１スペーサ３６乃至第３スペーサ３８は、それぞれ円筒であり、かつ、真鍮製である。また、第２支持腕３３は、第１支持腕３２と第３支持腕３４との間に配置される。さらに、固定部材３９は、例えば、メープル材製である。図６（Ｃ）、図６（Ｄ）に示すように、固定部材３９は、軸孔３９Ａ及びナット保持孔３９Ｂを有する。軸孔３９Ａは略円形であり、ナット保持孔３９Ｂは、略六角形である。軸孔３９Ａとナット保持孔３９Ｂとはつながっており、かつ、同心状に設けられている。ナット保持孔３９Ｂにナット５３が配置される。ナット５３は、例えば、ステンレス製であり、かつ、ナット５３と固定部材３９とが接着剤により固定されている。
【００４７】
ボルト３５の軸部３５Ａは雄ねじであり、軸部３５Ａは、軸孔５２、スペーサ３８、軸孔４８、スペーサ３７、軸孔４３、スペーサ３６、軸孔３９Ａの順序で挿入され、かつ、軸部３５Ａがナット５３に挿入され、かつ、ボルト３５が締め付けられる。ボルト３５の締め付けが完了していると、第１支持腕３２、第２支持腕３３及び第３支持腕３４は、ボルト３５によって互いに固定される。上記のようにして、振動増幅器２５が組み立てられている。
【００４８】
なお、ボルト３５の締め付けが完了する前の状態で、第１支持腕３２、第２支持腕３３、第３支持腕３４は、ボルト３５の中心線Ａ１を中心とする円周方向における位置を、相互に変更可能である。このため、振動増幅器２５を表板１４の内面１４Ａに取り付ける場合に、図１のようなギター１０の平面視で、表板１４に沿って配置される第１支持腕３２、第２支持腕３３及び第３支持腕３４が延ばされる方向を、それぞれ単独で調整可能である。さらに、ボルト３５の締め付けが完了した状態で、第１支持腕３２、第２支持腕３３及び第３支持腕３４は、ボルト３５の中心線Ａ１を中心とする円周方向における位置が、それぞれ定まる。
【００４９】
そして、表板１４と側板１６とが分解されている状態で、固定部材３９が表板１４の内面１４Ｂに固定、例えば、接着剤により固定され、振動増幅器２５がギター１０に取り付けられる。図２に示すギター１０の平面視で、固定部材３９は、ブリッジ２１の取り付け領域内に位置する。また、ギター１０の幅方向で、共鳴箱１１の略中央に固定部材３９が取り付けられる。図１において、ギター１０の幅方向は、ギター１０のネック１２に対して略直角な方向である。
【００５０】
振動増幅器２５が表板１４に取り付けられた状態で、ボルト３５の中心線Ａ１は、表板１４及び裏板１５に対して略垂直である。つまり、ボルト３５は、中心線Ａ１に沿った方向で表板１４から突出されている。ボルト３５は、表板１４と裏板１５との間に配置され、ボルト３５は裏板１５に接触していない。中心線Ａ１は、ボルト３５の中心に位置し、かつ、ボルト３５の長手方向に沿った仮想線である。表板１４が側板１６に固定されて、図２のように、ギター１０が組み立てられ、かつ、弦２３が弾かれていない状態で、表板１４と、第１振動片２６及び第２振動片２７との間に隙間がある。また、第１支持腕３２と、第３振動片２８、第４振動片２９及び第２支持腕３３との間に隙間がある。さらに、第２支持腕３３と、第５振動片３０、第６振動片３１及び第３支持腕３４との間に隙間がある。さらに、第３支持腕３４と裏板との間に隙間がある。これらの隙間は、全て中心線Ａ１に沿った方向の隙間量（距離）を有する。
【００５１】
振動増幅器２５が表板１４に取り付けられ、かつ、中心線Ａ１に沿った方向で、表板１４の内面１４Ａから、第３振動片２８及び第４振動片２９までの距離は、表板１４の内面１４Ａから、第１振動片２６及び第２振動片２７までの距離より相対的に長い。また、表板１４の内面１４Ａから、第５振動片３０及び第６振動片３１までの距離は、表板１４の内面１４Ａから、第３振動片２８及び第４振動片２９までの距離より相対的に長い。
【００５２】
振動増幅器２５が表板１４に取り付けられた状態で、第１取り付け部４０と第２取り付け部４１とが、ボルト３５を隔てて配置される。また、第１取り付け部４５と第２取り付け部４６とが、ボルト３５を隔てて配置される。さらに、第１取り付け部４９と第２取り付け部５０とが、ボルト３５を隔てて配置される。
【００５３】
本開示の振動増幅器２５が表板１４に取り付けられたギター１０を演奏した場合の作用を説明する。弦２３を指（爪）で弾いてエネルギを加えると、そのエネルギで弦２３がサドル２２とナット１９との間で振動する。弦２３の振動は、ブリッジ２１を経由して表板１４に伝達されて表板１４が振動（共振）し、表板１４の振動が音波に変換される。その音波は、内部５４及び外部５５へそれぞれ放射される。外部５５へ放射された音波は、音として聴くことができる。内部５４へ放射された音波は、共鳴箱１１の内部５４で反射を繰り返し、音量が増幅される。表板の振動の一部は、側板を経由して裏板にも伝達される。内部５４で増幅された音波は、サウンドホール２４及び表板１４を介して外部５５へ放射され、音として聴くことができる。弦２３に付加されたエネルギは、音に変換されることで次第に減少するため、音量も減衰していく。
【００５４】
以下、振動増幅器２５による振動増幅作用を具体的に説明する。表板１４の振動の一部は、固定部材３９及びボルト３５を経由して第１支持腕３２乃至第３支持腕３４に伝達され、かつ、第１振動片２６乃至第６振動片３１に伝達される。また、共鳴箱１１の内部５４に放射される音波の一部も、第１支持腕３２乃至第３支持腕３４に伝達され、かつ、第１振動片２６乃至第６振動片３１に伝達される。
【００５５】
第１支持腕３２乃至第３支持腕３４は、それぞれボルト３５を支点として振動する。接続部４２，４７，５１、第１取り付け部４０，４５，４９、第２取り付け部４１，４６，５０は、ボルト３５を支点とする片持ち梁の状態で振動する。さらに、第１振動片２６乃至第６振動片３１は、リベット４４を支点としてそれぞれ振動する。このようにして、第１支持腕３２乃至第３支持腕３４がそれぞれ振動され、かつ、第１振動片２６乃至第６振動片３１が振動される。
【００５６】
そして、第１支持腕３２乃至第３支持腕３４は、固有振動数がそれぞれ異なる。第１振動片２６乃至第６振動片３１は、固有振動数がそれぞれ異なる。第１支持腕３２乃至第３支持腕３４の固有振動数と、第１振動片２６乃至第６振動片３１の固有振動数とが、それぞれ異なる。また、第１支持腕３２乃至第３支持腕３４の固有振動数、第１振動片２６乃至第６振動片３１の固有振動数は、表板１４及び裏板１５の固有振動数とも異なる。
【００５７】
したがって、振動増幅器２５がギター１０の表板１４に取り付けられていると、全音域でサスティーンが伸びる。つまり、弦２３が弾かれて音が発生してから、音が途切れるまでの経過時間（減衰時間・余韻）をなるべく延長（継続）させることができる。これは、共鳴箱１１の内部５４に設けられた振動増幅器２５の第１支持腕３２乃至第３支持腕３４、及び第１振動片２６乃至第６振動片３１が弦２３の音に共鳴して振動し、振動が効率よく増幅するためである。また、第１振動片２６の固有振動数が最も小さく、低音が豊かに鳴ることに寄与する。
【００５８】
本実施形態で説明した振動増幅器２５は、図面を用いて説明したものに限定されない。例えば、第１振動片２６乃至第６振動片３１、第１支持腕３２乃至第３支持腕３４等の材料として、ステンレス、真鍮、銀等のうちから、それぞれ任意に選択することも可能である。また、振動片を支持腕に取り付ける手段は、リベットに代えて、ねじ固定、溶接、半田付けの何れかであってもよい。
【００５９】
本実施形態で開示されている事項の技術的意味の一例は、次の通りである。振動増幅器２５は、振動増幅器の一例である。ボルト３５は、支持軸の一例である。中心線Ａ１に沿った方向は、支持軸の突出方向の一例である。第１支持腕３２乃至第３支持腕３４は、複数の支持腕の一例である。第１振動片２６乃至第６振動片３１は、複数の振動片の一例である。接続部４２，４７，５１は、接続部の一例である。「中心線Ａ１に対して垂直な平面方向」は、「突出方向に対して交差する方向」の一例である。第１取り付け部４０，４５，４９、第２取り付け部４１，４６，５０は、複数の取り付け部の一例である。隙間Ｂ１，Ｂ２，Ｂ３は、隙間の一例である。ナット５３は、ナットの一例である。半径Ｒ１，Ｒ２，Ｒ３，Ｒ４，Ｒ５，Ｒ６は、振動片の半径の一例である。固定部材３９は、固定部材の一例である。
【産業上の利用可能性】
【００６０】
本開示の振動増幅器は、ギターの表板に取り付けることにより、ギターの共鳴箱の振動を増幅することに利用可能である。
【符号の説明】
【００６１】
２５…振動増幅器、２６…第１振動片、２７…第２振動片、２８…第３振動片、２９…第４振動片、３０…第５振動片、３１…第６振動片、３２…第１支持腕、３３…第２支持腕、３４…第３支持腕、３５…ボルト、３９…固定部材、４０，４５，４９…第１取り付け部、４１，４６，５０…第２取り付け部、４２，４７，５１…接続部、５３…ナット、Ｂ１，Ｂ２，Ｂ３…隙間、Ｒ１，Ｒ２，Ｒ３，Ｒ４，Ｒ５，Ｒ６…半径
【図１】
0003232965.tif 000003
【図２】
0003232965.tif 000004
【図３】
0003232965.tif 000005
【図４】
0003232965.tif 000006
【図５】
0003232965.tif 000007
【図６】
0003232965.tif 000008